(57)【特許請求の範囲】
【請求項１】
複数の灯具および複数の操作機器が配置される特定領域の境界を示す配置図と、前記特定領域における前記灯具および前記操作機器それぞれの配置場所に対応したアドレスとを記憶する記憶部と、
前記特定領域内に設けられる小室の配置場所を、前記配置図上に指定入力させる入力部と、
前記記憶部に記憶される前記アドレスに基づいて、前記配置図上に指定入力された小室の内部に配置される前記灯具および前記操作機器を判別し、該判別された灯具の操作権を該小室内に配置される操作機器に付与する制御部とを備える
ことを特徴とする照明制御装置。
【請求項２】
請求項１に記載の照明制御装置であって、前記制御部は、前記小室内に前記灯具および前記操作機器の少なくとも一方が配置されていない場合に警告を発することを特徴とする照明制御装置。
【請求項３】
請求項２に記載の照明制御装置であって、前記制御部は、前記小室内に前記灯具が配置され前記操作機器が配置されていない場合であっても、同小室内に無線入力装置と対応する受信機が配置される場合には警告を発さないことを特徴とする照明制御装置。
【請求項４】
請求項１または請求項２に記載の照明制御装置であって、前記複数の操作機器は前記特定領域の外周を構成する壁部あるいは柱部に設けられる操作器を含むことを特徴とする照明制御装置。
【請求項５】
請求項１〜請求項３のいずれか１項に記載の照明制御装置であって、前記複数の操作機器は前記特定領域内の特定の位置に対応付けられた操作端末を含むことを特徴とする照明制御装置。
【請求項６】
請求項１〜請求項５のいずれか１項に記載の照明制御装置であって、前記制御部は、前記配置図を表示出力し、当該表示出力された配置図上に対し、前記入力部による前記小室の配置場所を指定入力を受け付けることを特徴とする照明制御装置。
【請求項７】
複数の灯具と、
複数の操作機器と、
前記複数の灯具および前記複数の操作機器が配置される特定領域を示す配置図、および前記特定領域における前記灯具と前記操作機器とのそれぞれの配置場所に対応したアドレスを記憶する記憶部と、
前記特定領域内に設けられる小室の配置場所を、前記配置図上に指定入力させる入力部と、
前記記憶部に記憶される前記アドレスに基づいて、前記配置図上に指定入力された小室の内部に配置される前記灯具および前記操作機器を判別し、該判別された灯具の操作権を該小室内に配置される操作機器に付与する制御部と、を備える
ことを特徴とする照明制御システム。
【請求項８】
複数の灯具および複数の操作機器が配置される特定領域を示す配置図を表示出力するステップと、
前記特定領域内に設けられる小室の配置場所を、前記配置図上に指定入力させるステップと、
前記特定領域における前記灯具と前記操作機器とのそれぞれの配置場所に対応する予め記憶したアドレスに基づいて、前記配置図上に指定入力された小室の内部に配置される前記灯具および前記操作機器を判別するステップと、
前記判別された灯具の操作権を該小室内に配置される操作機器に付与するステップと、を備える
ことを特徴とする照明制御方法。
【発明の詳細な説明】
【技術分野】
【０００１】
本発明は、特定の領域に配置される複数の灯具の操作権を複数の操作機器に割当てる照明制御装置、照明制御システム、および照明制御方法に関するものである。
【背景技術】
【０００２】
通常、建物には、フロア毎に複数の灯具が設けられる。また、各フロアは内壁の配置を組合わせることにより、複数の部屋を形成可能である。形成された複数の部屋に配置される灯具は部屋の壁面および柱に設けられるスイッチなどにより操作されることが好ましい。
【０００３】
従来は、各灯具および各操作機器のアドレスが登録され、間仕切りが配置される位置をセンサによって検知し、間仕切りにより形成される部屋内に対応するアドレスを有する灯具と操作機器とを組み合わせることが提案されている（特許文献１、２参照）。
【０００４】
また、間仕切りの配置を検出するセンサを設ける代わりに、管理者が照明制御用の入力端末において、同じ部屋内に配置される灯具と操作機器とを組合わせるように設定することも一般的に知られている。
【先行技術文献】
【特許文献】
【０００５】
【特許文献１】特開２００９−１９１５７５号公報
【特許文献２】特開２０１０−２５１９３８号公報
【発明の概要】
【発明が解決しようとする課題】
【０００６】
しかし、灯具と操作機器との組合せの設定のために、管理者は特別な知識を有する必要がある。しかし、照明制御の管理用の知識を有さない使用者にも灯具と操作機器との組合せを容易に設定できることが望まれていた。
【０００７】
したがって、かかる事情に鑑みてなされた本発明の目的は、部屋割りに応じて灯具と操作機器との組合わせを容易に設定可能な照明制御装置、照明制御システム、および照明制御方法を提供することにある。
【課題を解決するための手段】
【０００８】
上述した諸課題を解決すべく、本発明による照明制御装置は、
複数の灯具および複数の操作機器が配置される特定領域の境界を示す配置図と、特定領域における灯具および操作機器それぞれの配置場所に対応したアドレスとを記憶する記憶部と、
特定領域内に設けられる小室の配置場所を、配置図上に指定入力させる入力部と、
記憶部に記憶されるアドレスに基づいて、配置図上に指定入力された小室の内部に配置される灯具および前記操作機器を判別し、該判別された灯具の操作権を該小室内に配置される操作機器に付与する制御部とを備える
ことを特徴とするものである。
【０００９】
なお、制御部は、小室内に灯具および操作機器の少なくとも一方が配置されていない場合に警告を発することが好ましい。
【００１０】
また、制御部は、小室内に灯具が配置され操作機器が配置されていない場合であっても、同小室内に無線入力装置と対応する受信機が配置される場合には警告を発さないことが好ましい。
【００１１】
また、複数の操作機器は特定領域の外周を構成する壁部あるいは柱部に設けられる操作器を含むことが好ましい。
【００１２】
また、複数の操作機器は特定領域内の特定の位置に対応付けられた操作端末を含むことが好ましい。
【００１３】
また、制御部は、配置図を表示出力し、当該表示出力された配置図上に対し、入力部による小室の配置場所を指定入力を受け付けることが好ましい。
【００１４】
また、本発明による照明制御システムは、
複数の灯具と、
複数の操作機器と、
複数の灯具および複数の操作機器が配置される特定領域を示す配置図、および特定領域における灯具と操作機器とのそれぞれの配置場所に対応したアドレスを記憶する記憶部と、
特定領域内に設けられる小室の配置場所を、配置図上に指定入力させる入力部と、
記憶部に記憶されるアドレスに基づいて、配置図上に指定入力された小室の内部に配置される灯具および前記操作機器を判別し、判別された灯具の操作権を小室内に配置される操作機器に付与する制御部と、を備える
ことを特徴としている。
【００１５】
また、本発明による照明制御方法は、
複数の灯具および複数の操作機器が配置される特定領域を示す配置図を表示出力するステップと、
特定領域内に設けられる小室の配置場所を、配置図上に指定入力させるステップと、
特定領域における灯具と操作機器とのそれぞれの配置場所に対応する予め記憶したアドレスに基づいて、配置図上に指定入力された小室の内部に配置される灯具および操作機器を判別するステップと、
判別された灯具の操作権を該小室内に配置される操作機器に付与するステップと、を備える
ことを特徴としている。
【発明の効果】
【００１６】
上記のように構成された本発明に係る照明制御装置によれば、配置図上において小室の配置場所を指定することにより小室内の灯具の操作権が同じ小室内の操作機器に付与されるので、簡易な方法で灯具の操作権を操作機器に割当てることが可能である。
【図面の簡単な説明】
【００１７】
【図１】本発明の一実施形態に係る証明制御装置を有する証明制御システムの構成を示すブロック図である。
【図２】特定領域内における灯具および操作機器の配置図である。
【図３】小室アイコンをクリックしたときの小室の描画方法を説明するための図である。
【図４】壁アイコンをクリックしたときの小室の描画方法を説明するための図である。
【図５】特定領域内に小室が描画された状態の配置図である。
【図６】図５における描画された小室に対して認識される小室の説明をするための図である。
【図７】描画した小室内に灯具と操作機器とが配置されていない場合に警告が表示された状態を示す図である。
【発明を実施するための形態】
【００１８】
以下、本発明を適用した照明制御装置の実施形態について、図面を参照して説明する。
【００１９】
図１は、本発明の一実施形態に係る照明制御装置を有する照明制御システムの構成を示すブロック図である。照明制御システム１００は、照明制御装置１０１、信号伝送線１０２、灯具１０３、および操作機器１０４を含んで構成される。照明制御装置１０１、複数の灯具１０３、および複数の操作機器１０４は、信号伝送線１０２を介して接続される。
【００２０】
灯具１０３は、例えばＬＥＤ光源などの照明光源を有しており、発光および消灯を切替可能である。また、照明光の光量を調整することも可能である。操作機器１０４は、例えば灯具１０３の発光／消灯の切替スイッチ、照明光の光量の調整ダイヤルなどを有する壁付け操作ユニット（固定操作器）、切替スイッチあるいは光量の調整機能と調整のための操作手段とを有する無線入力端末（操作端末）である。操作機器１０４により、いずれかの灯具１０３への操作入力を検出可能である。
【００２１】
照明制御装置１０１によって、後述するように、各灯具１０３の操作権の操作機器１０４への割当て設定が可能である。操作権を割当てることにより、特定の操作機器１０４への操作入力に基づいて、操作権が割当てられた灯具１０３の発光／消灯の切替あるいは光量調整などが可能となる。
【００２２】
次に、灯具１０３および操作機器１０４の配置について説明する。照明制御システム１００は、例えば建物全体または建物の特定の階の照明に対して適用される。複数の灯具１０３および複数の操作機器１０４はそれぞれ、建物内の特定の階の特定の位置に配置される。本実施形態では、例えば任意の建物内の全灯具１０３および全操作機器１０４が照明制御システム１００に含められる。建物の管理者は、内壁あるいは間仕切りを用いて、全領域内に小室あるいは通路を形成することが可能である。ここで、小室とは完全な密閉空間でなくともよく、一部が開放されつつも仕切りで囲われたスペースであってもよい。
【００２３】
壁付け操作ユニットは建物の外壁の内面あるいは建物内の柱の表面に配置される。また無線入力端末の無線信号（無線ＬＡＮなど）を受信する受信機（アクセスポイントなど）が特定の位置に配置される。また、便宜上、無線入力端末の配置場所とは、無線入力端末が位置登録している受信機の配置場所のこととする。
【００２４】
次に、照明制御装置１０１の構成について説明する。照明制御装置１０１は、制御部１０５、モニタ１０６、記憶部１０７、およびキーボードあるいはマウスなの操作入力部１０８を含んで構成される。
【００２５】
照明制御装置１０１のモニタ１０６には、照明制御システム１００が用いられる領域を特定領域として、特定領域内における灯具１０３および操作機器１０４の配置図１０９が表示される（図２参照）。配置図１０９は、特定領域に配置される灯具１０３および操作機器１０４の配置場所を２次元平面上の座標で管理し、同じく座標管理された特定領域の境界である外枠１１０内に示す図である。照明制御システム１００が建物の複数の階に適用される場合には、階毎の配置図がそれぞれ２次元座標系で表示され、各灯具１０３および操作機器１０４の配置場所の情報には、２次元座標に加えて所属階の情報が加えられることとなる。
【００２６】
配置図を表示するために、記憶部１０７には建物すべての階における特定領域の境界を示す外枠１１０、および各灯具１０３および各操作機器１０４の外枠１１０内における位置（２次元平面上の座標、所属階の情報）を示すアドレスが予め記憶される。制御部１０５では、記憶部１０７に格納された外枠１１０および当該領域内の灯具１０３および操作機器１０４のアドレスなどに基づいて配置図を作成し、モニタ１０６に表示させる。
【００２７】
照明制御装置１０１は機器割り当てモードを有している。機器割当てモードにおいては操作入力部１０８への入力に基づき、制御部１０５の制御によって各灯具１０３の操作権が操作機器１０４に割当てられることとなる。機器割当てモードを選択すると、配置図１０９上に小室を描画する操作入力および割当実行の操作入力を、制御部１０５は受付可能である。
【００２８】
例えば、図３に示すように、制御部１０５は、機器割当てモードにおいて、モニタ１０６に表示される小室アイコン１１１をクリックする操作入力を認識すると、灯具１０３および操作機器１０４の位置を示した２次元座標系と同一座標系におけるドラッグ操作を待ち受ける。つまり、機器割当てモードにおいて、モニタ１０６上には、灯具１０３および操作機器１０４の位置を示した配置図を表示するとともに、これらの位置を示すための２次元座標系と一致する座標系を仮想的にモニタ上に展開し、小室１１２の範囲指定を受け付ける状態とする。制御部１０５は、このモニタ上でマウス等により範囲指定のためのドラッグ操作が行われると、ドラッグ操作の開始地点の座標と終了地点の座標とを対頂点とする矩形を小室１１２として指定された範囲であると認識し、その範囲を配置図上に描画する。これにより、２次元座標系で範囲指定された領域を小室１１２として制御部１０５は認識する。制御部１０５は、ドラッグ操作の終了が生じても、その終了座標により特定される小室１１２を形成する壁が灯具１０３と判断する場合には、ドラッグ操作の終了を受付けず、灯具１０３と重ならない位置で再度クリック操作を認識することによりドラッグ操作の終了を受付ける。
【００２９】
または、図４に示すように、モニタ１０６に表示される壁アイコン１１３をクリックする操作入力を認識すると、制御部１０５は、ドラッグによる壁の描画の操作入力を受付可能な状態とする。認識されたドラッグ操作の開始地点の座標と終了地点の座標とを結ぶ線を壁１１４として認識し、壁１１４を配置図上に描画する。壁１１４が灯具１０３と重なる場合には、前述と同様にドラッグ操作の開始および終了を受付けない。複数の壁１１４および外枠１１０によって閉鎖される領域を形成することにより小室１１２の描画操作を完了させる。
【００３０】
また、制御部１０５は、描画された小室１１２以外の領域を別の小室１１２として認識する。例えば、図５に示すように特定領域の一部に小室１１２が範囲指定された場合に、制御部１０５では、図６に示すように指定された範囲を第１の小室１１２ａとして認識するとともに、残る領域を第２の小室１１２ｂとして認識する。
【００３１】
小室１１２が描画されるたびに、制御部１０５は認識した複数の小室１１２すべてが、それぞれの内部に少なくとも一つの灯具１０３と、少なくとも一つの操作機器１０４とが配置されているか否かを判別する。一方が欠けている小室１１２が有ると判別される場合には、その旨を通知する警告１１５を、例えば図７に示すようにモニタ１０６に表示する。また、制御部１０５は、描画していた小室１１２が後に消去などすることにより、この警告１１５を消す。図７に示す例では、小室１１２として指定された領域内に灯具１０３は含まれるものの、操作機器１０４が含まれていないという状態の場合である。
【００３２】
あるいは、無線入力端末（操作端末）までをも考慮した場合においては、制御部１０５は、各小室１１２の内部に灯具１０３と操作機器１０４とが配置されているか否かを判別する際に、操作機器１０４が無くとも受信機とその受信機に位置登録した無線入力端末が存在するか否かについても判別する。そして制御部１０５は、操作機器１０４の無い小室１１２が生じても、同小室内に受信機、およびその受信機に位置登録した無線入力端末があれば警告表示を行わず、操作機器１０４が無く、かつ受信機が無い、あるいは小室１１２に受信機が有っても該受信機に位置登録した無線入力端末が無い場合に警告表示を行う。
【００３３】
次に制御部１０５は、小室１１２を描画した後に、例えばモニタ１０６に表示される割当てアイコン１１６（図３、図４参照）をクリックする操作入力を認識すると、各灯具１０３の操作権の操作機器１０４への割当を開始する。割当を開始すると、制御部１０５では、描画された小室１１２の内部に配置される全灯具１０３と全操作機器１０４とを認識する。
【００３４】
ところで、前述した受信機が設けられている場合には、その配置位置に関する情報（２次元座標および所属階）を記憶部１０７が予め記憶しておく。その上で、制御部１０５は受信機の配置位置に関する情報に基づいて配置図上に受信機についても表示しておき、配置図上で指定された各小室１１２の座標範囲内部に含まれる受信機について把握する。これにより制御部１０５は、小室ごとに対応する受信機として記憶部１０７に記憶させる。
【００３５】
そして制御部１０５は、小室１１２内に配置された全灯具１０３の操作権について、同じ小室１１２内として認識した操作機器１０４に対して付与する。操作権の付与は、小室１１２毎に行われる。ここで制御部１０５は、各操作機器１０４に対し、操作権を割り当てた灯具１０３のアドレスを対応付け、その対応関係を記憶部１０７に記憶する。単一の小室１１２内に複数の操作機器１０４が配置されている場合には、制御部１０５は、小室１１２内の全操作機器１０４に同室内の全灯具１０３の操作権を付与する。
【００３６】
ここで制御部１０５は、単一の小室１１２内の全操作機器１０４に全灯具１０３の操作権を自動で割当てた後であっても、操作権の自動割当ての完了後に操作入力部１０８への入力により、操作機器１０４毎に特定の位置の灯具１０３の操作権を割当てることを可能としてもよい。
【００３７】
以上のような構成の本実施形態の照明制御装置によれば、照明制御装置１０１によって制御される灯具１０３および操作機器１０４の特定領域における配置を視覚化する配置図１０９上に小室１１２をモニタ１０６上に視認可能に描画可能であり、モニタ上に小室１１２とすべき範囲を指定することにより、指定範囲内の灯具１０３の操作権を自動的に導範囲内の操作機器１０４に割当てる。それゆえ、専門の知識を有さない使用者にも、容易かつ直感的に灯具１０３の操作権を容易に割当てることが可能となる。
【００３８】
その後、使用者がいずれかの小室内に在室しているときに、当該室内にある操作機器１０４により照明の消灯・点灯・明るさ変更の操作入力が行われた場合、制御部１０５は記憶部１０７を参照し、操作された操作機器１０４に対応付けられた灯具１０３のアドレスを特定し、特定されたアドレスの灯具１０３について消灯・点灯・明るさ変更を実行することとなる。これにより、いかなる小室に分けられようとも、各操作機器１０４には必ず自操作機器１０４と同じ室内にある灯具１０３の操作権が与えられることとなる。
【００３９】
また、本実施形態の照明制御装置によれば、描画した小室１１２内に少なくとも一つの灯具１０３および少なくとも一つの操作機器１０４が配置されていない場合に警告が表示されるので、すべての小室１１２に少なくとも一つの灯具１０３が配置され、且つ配置された灯具１０３を操作可能な操作機器１０４を存在させることが可能である。
【００４０】
本発明を諸図面および実施例に基づき説明してきたが、当業者であれば本開示に基づき種々の変形あるいは修正を行うことが容易であることに注意されたい。従って、これらの変形あるいは修正は本発明の範囲に含まれることに留意されたい。
【００４１】
例えば、上記実施形態において、あらかじめ使用者ごとにＩＤを付与しておき、機器割り当てモードでの操作を可能とする使用者をＩＤで管理し、記憶部１０７にて記憶しておいても良い。さらに、複数のＩＤに対して機器割り当てモードでの操作を可能とする範囲、あるいは操作を可能とする階を異ならせておいてもよい。このような場合、制御部１０５は、使用者により特定のＩＤの入力が行われたことを検知したときに、当該ＩＤに対応する範囲内のみ、あるいは対応する階のみについて、機器割り当てモードでの操作を可能とし、操作対象とする領域をモニタ１０６に表示することとなる。このような構成により、特定場所の灯具１０３の操作権の操作機器１０４への割当を、特定の権限を有する使用者のみが実行可能とすることが可能である。具体的には、１つのフロアを所定の範囲ごとに小分けして別々の商店に貸し出している状態、あるいはフロアごとに別々の企業に貸し出している場合などにおいても、簡単な操作により、それぞれの商店や企業ごとに自己の借りている範囲内についてのみの灯具の割り当て変更を行うことが可能となる。
また、操作入力部１０８とモニタ１０６は、制御部１０５と記憶部１０７に対してそれぞれ一つのみを設けている例を示しているが、これらはもちろん複数設けられていても良い。さらに、操作入力部１０８とモニタ１０６は、操作端末としてのスマートフォンなどの無線入力端末の表示画面と操作手段とを兼用しても良い。この場合、制御部１０５と記憶部１０７とを有するサーバ装置にインターネットあるいはイントラネット経由で接続して操作入力を行うこととなる。
【符号の説明】
【００４２】
１００  照明制御システム
１０１  照明制御装置
１０２  信号伝送
１０３  灯具
１０４  操作機器
１０５  制御部
１０６  モニタ
１０７  記憶部
１０８  操作入力部
１０９  配置図
１１０  外枠
１１１  小室アイコン
１１２  小室
１１２ａ  第１の小室
１１２ｂ  第２の小室
１１３  壁アイコン
１１４  壁
１１５  警告
１１６  割当てアイコン
【図１】
0005705688.tif 000002
【図２】
0005705688.tif 000003
【図３】
0005705688.tif 000004
【図４】
0005705688.tif 000005
【図５】
0005705688.tif 000006
【図６】
0005705688.tif 000007
【図７】
0005705688.tif 000008